【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
回転式カルーセル組立体および位置決めアーム組立体を有するモータ駆動回転ステージ組立体であって、励起光源に関して前記モータ駆動回転ステージ組立体を直線的に位置決めするモータ駆動並進ステージを有する、モータ駆動回転ステージ組立体と、
中央シャフトの周りに複数のキュベットを有する前記回転式カルーセル組立体であって、前記複数のキュベットの各キュベットが、下壁部、上壁部、複数の側壁部、開口部、および空洞部を有する、回転式カルーセル組立体と、
前記カルーセル組立体内のキュベット保持板に位置決めされる前記複数のキュベットであって、前記キュベット保持板が、前記複数のキュベットの前記複数の側壁部に対して設置された複数の可撓性バネ張力アームを有し、前記複数の可撓性バネ張力アームが、前記複数のキュベットの各々の前記側壁部を、前記中央シャフトと実質的に平行な位置に向かって付勢し、それによって、前記回転式カルーセル組立体が、検査位置に前記複数のキュベットの個々のキュベットを回転させるときに、キュベット位置決めアーム組立体が前記個々のキュベットを係合し得るように、前記複数のキュベットの各キュベットの位置を準備する、複数のキュベットと、
キュベット位置決めアーム支柱に結合されたキュベット位置決めアームを有する前記キュベット位置決めアーム組立体であって、前記キュベット位置決めアームは、複数のキュベット側壁部が特定の測定角度になるように、前記複数のキュベットの個々のキュベットを、特定の測定位置に整列させ、それによって、各個々のキュベットが前記回転式カルーセル組立体によって前記検査位置に配置されるときに、前記個々のキュベットの特定の位置が前記複数のキュベットの前記各個々のキュベットについて繰返し可能となるように、前記検査位置に前記個々のキュベットの前記位置を設定する、キュベット位置決めアーム組立体と、
前記キュベット位置決めアームに結合されたキュベット位置決めリップであって、複数の舌部を有する、キュベット位置決めリップと、を含む、キュベット位置決めシステム。
【請求項２】
前記モータ駆動回転ステージ組立体に結合され、前記複数のキュベットの各々の前記下壁部に対して寄りかかるように位置決めされ、それによって、前記モータ駆動回転ステージ組立体における各キュベットの前記下壁部を支持し、前記キュベット保持板内で前記複数のキュベットの各キュベットの垂直位置を維持する、キュベット支持板をさらに含む、請求項１に記載のシステム。
【請求項３】
前記キュベット位置決めアームに結合されたリップバネ保持板を有するリップバネであって、前記キュベット位置決めアームに対して押圧する、リップバネ保持板をさらに含む、請求項１または２に記載のシステム。
【請求項４】
リップバネが、前記キュベット位置決めアーム組立体によって位置決めされた前記キュベットに対して、前記キュベット位置決めリップの前記舌部を押圧し、それによって、前記キュベットが前記舌部に対して特定の位置に追い詰められる、請求項１または２に記載のシステム。
【請求項５】
前記キュベット位置決めアーム組立体によって位置決めされた前記キュベットの上方移動を妨げるように位置決めされた前記キュベット位置決めアーム組立体に結合された、キュベット末端止め具をさらに含む、請求項１または２に記載のシステム。
【請求項６】
前記励起光源がレーザを含む、請求項１〜５のいずれかに記載のシステム。
【請求項７】
モータ駆動中央シャフトの周りに複数のキュベットを有する回転式カルーセル組立体と、
前記複数のキュベットの各々の複数のキュベット壁部がキュベット保持板に接触するように、前記キュベット保持板内に位置決めされる前記複数のキュベットであって、前記キュベット保持板が、前記モータ駆動中央シャフトに結合され、それによって、前記キュベット保持板が、前記複数のキュベットの前記キュベットの各々を、前記モータ駆動中央シャフトを中心にして、検査位置まで回転させる、複数のキュベットと、
前記検査位置に隣接して配置されたキュベット位置決めアーム支柱に結合されたキュベット位置決めアームを有するキュベット位置決めアーム組立体であって、前記キュベット位置決めアームが、前記複数のキュベットの個々のキュベットを、各個々のキュベットが前記サンプルの位置まで回転させられるときに、前記複数のキュベットにおける前記各個々のキュベットについて繰返し可能な特定の測定位置に、整列させる、キュベット位置決めアーム組立体と、
前記キュベット位置決めアームに結合されたリップバネおよびリップバネ保持板と、を含み、
前記キュベット位置決めアームに結合されたキュベット位置決めリップであって、前記キュベット位置決めリップが複数の舌部を有し、前記舌部が、前記キュベットが前記キュベット位置決めアーム組立体によって保持されているときに、個々のキュベットを整列させる、キュベット位置決めリップをさらに含む、キュベット位置決め装置。
【請求項８】
前記検査位置における前記キュベット位置決めアームによって位置決めされたキュベットを蛍光発光するために位置決めされた励起光源をさらに含む、請求項７に記載のシステム。
【請求項９】
前記励起光源がレーザを含む、請求項８に記載のシステム。
【請求項１０】
前記回転式カルーセル組立体に結合され、前記複数のキュベットの各々の下側に対して位置決めされ、それによって前記カルーセル組立体内で前記キュベットを支持する、キュベット支持板をさらに含む、請求項７に記載のシステム。
【請求項１１】
前記リップバネが、前記キュベット位置決めアーム組立体によって位置決めされた前記キュベットに対して、前記キュベット位置決めリップの舌部を押圧し、それによって、前記キュベットが前記舌部に対して追い詰められる、請求項７〜１０のいずれかに記載のシステム。
【請求項１２】
前記キュベット位置決めアーム組立体によって位置決めされた前記キュベットの上方移動を妨げるように位置決めされた前記キュベット位置決めアーム組立体に結合されたキュベット末端止め具をさらに含む、請求項７〜１０のいずれかに記載のシステム。
【請求項１３】
回転式カルーセル組立体の中央シャフトの周りに複数のキュベットを位置決めすることであって、前記複数のキュベットが前記カルーセル内のキュベット保持板に位置決めされ、前記キュベット保持板が前記複数のキュベットの側部に対して位置決めされた可撓性のバネ張力アームを有することと、
前記複数のキュベットの個々のキュベットの１つの側部がキュベット位置決めアーム組立体の複数の舌部を押圧して、前記個々のキュベットの１つの側部が前記複数の舌部を通りすぎるようになるまで、前記回転式カルーセル組立体を時計回りに回転させることと、
前記複数のキュベットの個々のキュベットの１つの側部が前記キュベット位置決めアーム組立体の複数の舌部に接触し、かつわずかに押圧することで、前記個々のキュベットが前記舌部に対して追い詰められるまで、前記回転式カルーセル組立体を小さな角度で時計回りに回転させることであって、それによって前記各個々のキュベットについて同じ位置が実質的に繰り返され得るように、前記個々のキュベットを精密に位置決めすることと、を含む、キュベットを位置決めする方法。
【請求項１４】
励起光源を使って蛍光発光することであって、前記複数のキュベットの前記個々のキュベットが前記キュベット位置決めアーム組立体によって前記舌部に対して追い詰められ、それによって、蛍光放射を、前記個々のキュベットに収容されているサンプルから、前記個々のキュベットに隣接して位置決めされた固定スリットを通じて、投射させる、蛍光発光することをさらに含む、請求項１３に記載の方法。
【請求項１５】
モータ駆動並進ステージ組立体により、前記回転式カルーセル組立体および前記位置決めアーム組立体を、前記励起光源に関して、直線的に位置決めをすることをさらに含む、請求項１４に記載の方法。
【請求項１６】
複数のキュベットの個々のキュベットの１つの側部が前記キュベット位置決めアーム組立体の前記複数の舌部をさらに押圧することで、前記キュベット保持板の前記バネ張力アームの張力が部分的に負かされるまで、前記回転式カルーセル組立体を小さな角度で時計方向に回転させ続けることであって、それによって、前記個々のキュベットが、前記キュベット位置決めアームの前記舌部に対して強固に保持されるように、前記バネ張力アームを撓ませる、回転させ続けることをさらに含む、請求項１４に記載の方法。
【請求項１７】
前記励起光源がレーザを特徴とする、請求項１４〜１６のいずれかに記載のシステム。